(57)【要約】【課題】観察方向に制限されることなく潜像による真偽判別を容易に行う。【解決手段】白色からなる表面シート３、黒色からなる中間シート４及び白色からなる裏面シート５の複数層が積層された積層構造からなり、その一部の領域に、形状が潜像となる「Ｔ」の字となるように複数の貫通穴２が形成されて構成され、貫通穴２の内側面にはその全周に渡って中間シート４が表出している。【選択図】図１
2008023761.tif 000002
【特許請求の範囲】
【請求項１】
少なくとも一部に、複数層が積層され、該複数層のうち少なくとも２つの層が互いに異なる色を具備する積層構造を有し、
前記積層構造が設けられた領域に貫通穴を有する偽造防止媒体。
【請求項２】
複数層が積層されてなり、
前記複数層のうち少なくとも１つの層は、外部から視認不可能となる領域の一部に当該層とは異なる色を具備する潜像表示層が埋設され、
前記潜像表示層が埋設された領域と前記潜像表示層が埋設されていない領域とにそれぞれ貫通穴を有する偽造防止媒体。
【発明の詳細な説明】
【技術分野】
【０００１】
本発明は、偽造防止シート等の偽造防止媒体に関し、特に、潜像を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【特許文献１】特開２０００−３１３１６１号公報
【発明の開示】
【発明が解決しようとする課題】
【０００６】
しかしながら、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から観察した場合にしか潜像が浮かび上がらず、潜像による真偽判別がしやすいとは言い難い。特に、観察方向が制限されている場合、潜像による真偽判別ができなくなる虞れがある。
【０００７】
本発明は、上述したような従来の技術が有する問題点に鑑みてなされたものであって、観察方向に制限されることなく潜像による真偽判別を容易に行うことができる偽造防止媒体を提供することを目的とする。
【課題を解決するための手段】
【０００８】
上記目的を達成するために本発明は、
少なくとも一部に、複数層が積層され、該複数層のうち少なくとも２つの層が互いに異なる色を具備する積層構造を有し、
前記積層構造が設けられた領域に貫通穴を有する。
【０００９】
上記のように構成された本発明においては、複数層の積層方向から偽造防止媒体を観察した場合、積層された複数層のうち最も観察方向側となる層しか視認できず、また、貫通穴が設けられた領域においては、貫通穴を介して向こう側が見えるか、あるいは貫通穴が微細なものであれば人間の錯覚によって貫通穴もその層の色に見えて貫通穴が認識困難な状態となっている。この状態から偽造防止媒体に対する観察方向を変化させていくと、貫通穴の内側面が視認できるようになる。積層された複数層は、少なくとも２つの層が互いに異なる色を具備するものであるため、最も観察方向側となる層とは異なる色の層が貫通穴の内側面にて表出しており、その層の色が貫通穴の内側面にて視認可能となる。そのため、貫通穴を潜像となる所定の情報が表現されるように形成しておけば、偽造防止媒体に対する観察方向を複数層の積層方向から変化させていくと、貫通穴を用いた潜像が、最も観察方向側となる層とは異なる色として浮かび上がって見えるようになる。ここで、本発明においては、最も観察方向側となる層とは異なる色が貫通穴の内側面の全周に渡って表出しているので、偽造防止媒体に対する観察方向を複数層の積層方向からどの方向に変化させていった場合であっても、貫通穴による潜像が浮かび上がって見えるようになる。
【００１０】
複数層が積層されてなり、
前記複数層のうち少なくとも１つの層は、外部から視認不可能となる領域の一部に当該層とは異なる色を具備する潜像表示層が埋設され、
前記潜像表示層が埋設された領域と前記潜像表示層が埋設されていない領域とにそれぞれ貫通穴を有する。
【００１１】
上記のように構成された本発明においては、複数層の積層方向から偽造防止媒体を観察した場合、複数層のうち最も観察方向側となる層しか視認できず、また、貫通穴が設けられた領域においては、貫通穴を介して向こう側が見えるか、あるいは貫通穴が微細なものであれば人間の錯覚によって貫通穴もその層の色に見えて貫通穴が認識困難な状態となっている。この状態から偽造防止媒体に対する観察方向を変化させていくと、貫通穴の内側面が視認できるようになる。複数層のうち少なくとも１つの層は、外部から視認不可能な領域の一部にその層とは異なる色を具備する潜像表示層が埋設されているため、貫通穴の内側面においては、潜像表示層が埋設された領域と潜像表示層が埋設されていない領域とで異なる色が表出することになる。そのため、潜像表示層を潜像となる所定の情報が表現されるように埋設しておけば、偽造防止媒体に対する観察方向を複数層の積層方向から変化させていくと、潜像表示層を用いた潜像が浮かび上がって見えるようになる。ここで、本発明においては、潜像表示層が埋設された領域に設けられた貫通穴においては、その内側面の全周に渡って潜像表示層の色が表出することになるので、偽造防止媒体に対する観察方向を複数層の積層方向からどの方向に変化させていった場合であっても、潜像表示層による潜像が浮かび上がって見えるようになる。
【発明の効果】
【００１２】
以上説明したように本発明においては、積層された複数層のうち少なくとも２つの層が互いに異なる色を具備する積層構造を有し、積層構造が設けられた領域に貫通穴を有する構成としたため、貫通穴の内側面には、最も観察方向側となる層とは異なる色が全周に渡って表出することになり、それにより、観察方向を複数層の積層方向からどの方向に変化させていった場合であっても、潜像が浮かび上がり、潜像による真偽判別を容易に行うことができる。
【００１３】
また、積層された複数層のうち少なくとも１つの層の外部から視認不可能な領域の一部に当該層とは異なる色を具備する潜像表示層が埋設され、潜像表示層が埋設された領域と潜像表示層が埋設されていない領域とにそれぞれ貫通穴を有するものにおいては、貫通穴の内側面においては、潜像表示層が埋設された領域と潜像表示層が埋設されていない領域とで異なる色が表出し、かつ、潜像表示層が埋設された領域の貫通穴の内側面には、その全周に渡って潜像表示層による色が表出することになるため、上記同様の効果を奏する。
【発明を実施するための最良の形態】
【００１４】
以下に、本発明の実施の形態について図面を参照して説明する。
【００１５】
（第１の実施の形態）
図１は、本発明の偽造防止媒体の第１の実施の形態となる偽造防止シートを示す図であり、（ａ）は正面から見た図、（ｂ）は（ａ）に示したＡ−Ａ’断面図である。
【００１６】
本形態は図１に示すように、それぞれが紙からなる表面シート３、中間シート４及び裏面シート５の複数層が積層された積層構造からなり、その一部の領域に複数の貫通穴２が形成されて構成されている。表面シート３及び裏面シート５は白色からなり、中間シート４は黒色からなる。表面シート３には、貫通穴２が形成されていない領域に情報印刷領域６が設けられており、この偽造防止シート１がコンサート等の入場チケットとして用いられる場合に、コンサートの内容や会場名、座席番号等がこの情報印刷領域６に印刷されることになる。貫通穴２は、複数の貫通穴２からなる形状が潜像となる「Ｔ」の字となるように、表面シート３、中間シート４及び裏面シート５の全てに貫通して形成されている。このように、貫通穴２が、表面シート３、中間シート４及び裏面シート５からなる積層構造に形成されていることにより、貫通穴２の内側面にはその全周に渡って中間シート４が表出している。
【００１７】
以下に、上記のように構成された偽造防止シート１の製造方法について説明する。
【００１８】
まず、表面シート３、中間シート４及び裏面シート５を積層し、複数層からなる積層構造を構成する。
【００１９】
次に、互いに積層された表面シート３、中間シート４及び裏面シート５に対して、スポット的にレーザ光を順次照射していき、それにより、潜像「Ｔ」の字の形状となるように複数の貫通穴２を形成する。貫通穴２の径は１ｍｍ以下であることが好ましいが、このようにレーザ光を用いて複数の貫通穴２を形成することにより、径が１ｍｍ以下というような微細な貫通穴２を形成することができるとともに、複数の貫通穴２の間隔も微細なものとすることができる。なお、本形態においては、潜像「Ｔ」について、その線幅が２つの貫通穴２、すなわち２列の貫通穴２によって１本のラインが構成されているが、潜像の線幅は、貫通穴２の径や、潜像となる情報の精細さ等によって適宜設定されることになる。
【００２０】
その後、表面シート３の情報印刷領域６に情報が印刷されることになるが、その前に、表面シート３に対してプレ印刷として地紋を印刷したり所定の色に着色したりすることも考えられる。
【００２１】
このようにして、図１に示した偽造防止シート１が作製される。
【００２２】
以下に、上述した偽造防止シート１の作用について説明する。
【００２３】
まず、図１に示した偽造防止シート１を正面、すなわち、表面シート３、中間シート４及び裏面シート５の積層方向から観察した場合の作用について説明する。
【００２４】
図２は、図１に示した偽造防止シート１を正面から観察した場合の作用を説明するための図であり、（ａ）は断面方向から見た図、（ｂ）は偽造防止シート１を正面から見た図である。
【００２５】
図１に示した偽造防止シート１を、図２（ａ）に示すように、正面、すなわち、表面シート３、中間シート４及び裏面シート５の積層方向から観察した場合、表面シート３と貫通穴２とが見えることになるが、貫通穴２においては、中間シート４が表出している内側面が視認不可能であるため、中間シート４の黒色は見えず、そのため、貫通穴２によって形成される潜像「Ｔ」は、中間シート４の黒色として浮かび上がって見えてこない。ここで、貫通穴２が上述したようにその径が１ｍｍ以下となる微細なものである場合は、人間の錯覚によって貫通穴２が表面シート３の白色に見え、それにより、図２（ｂ）に示すように潜像「Ｔ」は視認困難な状態となる。
【００２６】
次に、図１に示した偽造防止シート１に対する観察方向を正面、すなわち、表面シート３、中間シート４及び裏面シート５の積層方向から変化させていった場合の作用について説明する。
【００２７】
図３は、図１に示した偽造防止シート１に対する観察方向を正面から変化させていった場合の作用を説明するための図であり、（ａ）は断面方向から見た図、（ｂ）〜（ｅ）は偽造防止シート１における潜像の見え方を示す図である。
【００２８】
図１に示した偽造防止シート１に対する観察方向を正面から変化させていくと、図３（ａ）に示すように、貫通穴２の内側面が視認できるようになる。この貫通穴２の内側面には、表面シート３とは色が異なる黒色の中間シート４が表出しているため、その黒色が貫通穴２の内側面にて視認可能となる。表面シート３は中間シート４とは色が異なる白色であるため、この色の違いによって、図３（ｂ）に示すように、この貫通穴２によって構成される潜像「Ｔ」が中間シート４の黒色として浮かび上がって見えるようになる。この際、中間シート４の厚さが表面シート３の厚さよりも厚ければ、貫通穴２の内側面にて表出する中間シート４の面積が大きくなるため、潜像「Ｔ」を認識しやすくなる。
【００２９】
ここで、図１に示した偽造防止シート１においては、表面シート３とは色が異なる黒色の中間シート４が貫通穴２の内側面の全周に渡って表出しているため、偽造防止シート１に対する観察方向を正面からどの方向に変化させていった場合であっても、貫通穴２による潜像が中間シート４の黒色として浮かび上がって見えるようになる。例えば、偽造防止シート１に対する観察方向を図１中上側に変化させていくと、貫通穴２によって形成される潜像「Ｔ」が図３（ｃ）に示すように黒色として浮かび上がって見えるようになり、また、偽造防止シート１に対する観察方向を図１中右側に変化させていくと、貫通穴２によって形成される潜像「Ｔ」が図３（ｄ）に示すように黒色として浮かび上がって見えるようになり、また、偽造防止シート１に対する観察方向を図１中左側に変化させていくと、貫通穴２によって構成される潜像「Ｔ」が図３（ｅ）に示すように黒色として浮かび上がって見えるようになる。
【００３０】
上述した偽造防止シート１は、複写した場合、表面シート３の情報印刷領域６に印刷された情報は複写されるものの、貫通穴２までは再現できない。また、貫通穴２の内側面に表出した中間シート４の黒色も複写することができない。そのため、複写物の観察方向を変えていった場合であっても、潜像は浮かび上がらず、それにより、真偽判別を行うことが可能となる。このように真偽判別を行う際、本形態の偽造防止シート１においては、偽造防止シート１に対する観察方向を、表面シート３、中間シート４及び裏面シート５の積層方向からどの方向に変化させていった場合であっても、貫通穴２による潜像が中間シート４の黒色として浮かび上がって見えるため、観察方向に制限されることなく潜像による真偽判別を容易に行うことができる。
【００３１】
なお、本形態においては、表面シート３及び裏面シート５との間にこれらとは色が異なる中間シート４が挟み込まれた構成となっているが、中間シート４の代わりに、表面シート３あるいは裏面シート５の互いの積層面に、表面シート３及び裏面シート５とは異なる色の印刷層を設ける構成とすることも考えられる。
【００３２】
また、本形態においては、表面シート３及び裏面シート５が白色からなり、中間シート４が黒色からなるものを例に挙げて説明したが、表面シート３と中間シート４とが互いに異なる色であれば、表面シート３と裏面シート５とが異なる色であったり、表面シート３や中間シート４の色が白色や黒色とは異なる色であったりしても構わない。ただし、表面シート３の色と中間シート４の色とのコントラストの差が大きいほど潜像を認識しやすくすることができる。
【００３３】
また、本形態においては、表面シート３、中間シート４及び裏面シート５の３つの層が積層された積層構造からなるものを例に挙げて説明したが、積層される層の数は複数であれば３つに限らない。ただし、その場合においても、少なくとも２つの層の色は互いに異なる必要がある。
【００３４】
（第２の実施の形態）
図４は、本発明の偽造防止媒体の第２の実施の形態となる偽造防止シートを示す図であり、（ａ）は正面から見た図、（ｂ）は（ａ）に示したＡ−Ａ’断面図である。
【００３５】
本形態は図４に示すように、紙からなる白色のベースシート１０３の一部の領域に、ベースシート１０３の色とは異なる黒色で印刷が施されることによって着色層１０４が積層され、その着色層１０４が積層された領域に複数の貫通穴１０２が形成されて構成されている。ベースシート１０３には、貫通穴１０２が形成されていない領域に情報印刷領域１０６が設けられており、この偽造防止シート１０１がコンサート等の入場チケットとして用いられる場合に、コンサートの内容や会場名、座席番号等がこの情報印刷領域１０６に印刷されることになる。貫通穴１０２は、ベースシート１０３の着色層１０４が積層された領域において、複数の貫通穴１０２からなる形状が潜像となる「Ｔ」の字となるように形成されている。このように、貫通穴１０２が、ベースシート１０３の着色層１０４が積層された領域に形成されていることにより、貫通穴１０２の内側面にはその全周に渡ってベースシート１０３が表出している。
【００３６】
以下に、上記のように構成された偽造防止シート１０１の製造方法について説明する。
【００３７】
まず、白色のベースシート１０３の一部の領域に、ベースシート１０３の色とは異なる黒色で印刷を施すことによって着色層１０４を積層する。これにより、ベースシート１０３の一部にベースシート１０３及び着色層１０４の複数層からなる積層構造を構成する。またこの際、着色層１０４の積層と同時に、ベースシート１０３に対してプレ印刷として地紋を印刷したり所定の色に着色したりすることも考えられる。
【００３８】
次に、ベースシート１０３の着色層１０４が積層された領域に対して、スポット的にレーザ光を順次照射していき、それにより、潜像「Ｔ」の字の形状となるように複数の貫通穴１０２を形成する。
【００３９】
このようにして、図４に示した偽造防止シート１０１が作製される。
【００４０】
以下に、上述した偽造防止シート１０１の作用について説明する。
【００４１】
まず、図４に示した偽造防止シート１０１を正面、すなわち、ベースシート１０３と着色層１０４との積層方向から観察した場合の作用について説明する。
【００４２】
図５は、図４に示した偽造防止シート１０１を正面から観察した場合の作用を説明するための図であり、（ａ）は断面方向から見た図、（ｂ）は偽造防止シート１０１を正面から見た図である。
【００４３】
図４に示した偽造防止シート１０１を、図５（ａ）に示すように、正面、すなわち、ベースシート１０３と着色層１０４との積層方向から観察した場合、偽造防止シート１０１の表面に露出したベースシート１０３及び着色層１０４、並びに貫通穴１０２が見えることになるが、貫通穴１０２においては内側面が視認不可能であるため、貫通穴１０２の内側面にて表出したベースシート１０３の白色は見えず、そのため、貫通穴１０２によって形成される潜像「Ｔ」は、ベースシート１０３の白色として浮かび上がって見えてこない。ここで、貫通穴１０２の径が１ｍｍ以下となる微細なものである場合は、人間の錯覚によって貫通穴１０２が着色層１０４の黒色に見え、それにより、図５（ｂ）に示すように潜像「Ｔ」は視認困難な状態となる。
【００４４】
次に、図４に示した偽造防止シート１０１に対する観察方向を正面、すなわち、ベースシート１０３と着色層１０４との積層方向から変化させていった場合の作用について説明する。
【００４５】
図６は、図４に示した偽造防止シート１０１に対する観察方向を正面から変化させていった場合の作用を説明するための図であり、（ａ）は断面方向から見た図、（ｂ）〜（ｅ）は偽造防止シート１０１における潜像の見え方を示す図である。
【００４６】
図４に示した偽造防止シート１０１に対する観察方向を正面から変化させていくと、図６（ａ）に示すように、貫通穴１０２の内側面が視認できるようになる。この貫通穴１０２の内側面には、着色層１０４とは色が異なる白色のベースシート１０３が表出しているため、その白色が貫通穴１０２の内側面にて視認可能となる。この貫通穴１０２が形成された領域にて偽造防止シート１０１の表面に露出した着色層１０４はベースシート１０３とは色が異なる黒色であるため、この色の違いによって、図６（ｂ）に示すように、この貫通穴１０２によって構成される潜像「Ｔ」がベースシート１０３の白色として浮かび上がって見えるようになる。
【００４７】
ここで、図４に示した偽造防止シート１０１においては、貫通穴１０２において、着色層１０４とは色が異なる白色のベースシート１０３がその内側面の全周に渡って表出しているため、偽造防止シート１０１に対する観察方向を正面からどの方向に変化させていった場合であっても、貫通穴１０２による潜像がベースシート１０３の白色として浮かび上がって見えるようになる。例えば、偽造防止シート１０１に対する観察方向を図４中上側に変化させていくと、貫通穴１０２によって形成される潜像「Ｔ」が図６（ｃ）に示すように白色として浮かび上がって見えるようになり、また、偽造防止シート１０１に対する観察方向を図４中右側に変化させていくと、貫通穴１０２によって形成される潜像「Ｔ」が図６（ｄ）に示すように白色として浮かび上がって見えるようになり、また、偽造防止シート１０１に対する観察方向を図４中左側に変化させていくと、貫通穴１０２によって構成される潜像「Ｔ」が図６（ｅ）に示すように白色として浮かび上がって見えるようになる。
【００４８】
上述した偽造防止シート１０１は、複写した場合、ベースシート１０３に積層された着色層１０４や情報印刷領域１０６に印刷された情報は複写されるものの、貫通穴１０２までは再現できない。そのため、複写物の観察方向を変えていった場合であっても、貫通穴１０２が形成された領域にて潜像は浮かび上がらず、それにより、真偽判別を行うことが可能となる。このように真偽判別を行う際、本形態の偽造防止シート１０１においては、偽造防止シート１０１に対する観察方向を、ベースシート１０３と着色層１０４との積層方向からどの方向に変化させていった場合であっても、貫通穴１０２による潜像がベースシート１０３の白色として浮かび上がって見えるため、観察方向に制限されることなく潜像による真偽判別を容易に行うことができる。
【００４９】
なお、本形態においては、ベースシート１０３が白色からなり、着色層１０４が黒色からなるものを例に挙げて説明したが、ベースシート１０３と着色層１０４とが互いに異なる色であれば、ベースシート１０３や着色層１０４の色が白色や黒色とは異なる色であったりしても構わない。ただし、ベースシート１０３の色と着色層１０４の色とのコントラストの差が大きいほど潜像を認識しやすくすることができる。
【００５０】
また、上述した２つの実施の形態において、潜像となる情報は、上述した「Ｔ」のように一文字からなるものに限らず、複数の文字からなるものや模様等であってもよい。また、１つの貫通穴２，２０２のみを用いて中間シート４やベースシート１０３の色による１つのドットを浮かび上がらせることによって、真偽判別を可能とすることも考えられる。
【００５１】
（第３の実施の形態）
図７は、本発明の偽造防止媒体の第３の実施の形態となる偽造防止シートを示す図であり、（ａ）は正面から見た図、（ｂ）は（ａ）に示したＡ−Ａ’断面図、（ｃ）は（ｂ）に示した裏面シート２０５の構成を示す図である。
【００５２】
本形態は図７に示すように、それぞれが紙からなる表面シート２０３及び裏面シート２０５の複数層が積層された積層構造からなり、その一部の領域に複数の貫通穴２０２が形成されて構成されている。また、裏面シート２０５の表面シート２０３との積層面には、貫通穴２０２が形成された領域の一部に、裏面シート２０５とは異なる色を具備する潜像表示層２０４が潜像となる「Ｔ」の字となって所定の深さを有して埋設されている。なお、この潜像表示層２０４は、裏面シート２０５の表面シート２０３との積層面とは反対側の面からは表出していない。表面シート２０３及び裏面シート２０５は白色からなり、潜像表示層２０４は黒色からなる。表面シート２０３には、貫通穴２０２が形成されていない領域に情報印刷領域２０６が設けられており、この偽造防止シート２０１がコンサート等の入場チケットとして用いられる場合に、コンサートの内容や会場名、座席番号等がこの情報印刷領域２０６に印刷されることになる。貫通穴２０２は、潜像表示層２０４が埋設された領域を含むように、潜像表示層２０４が埋設された領域については表面シート２０３、潜像表示層２０４及び裏面シート２０５の全てに貫通し、また、潜像表示層２０４が埋設されていない領域については表面シート２０３及び裏面シート２０５に貫通してマトリックス状に形成されている。これにより、貫通穴２０２のうち、潜像表示層２０４が埋設された領域に形成されたものにおいては、内側面の全周に渡って潜像表示層２０４が表出しており、また、潜像表示層２０４が埋設されていない領域に形成されたものにおいては、内側面に潜像表示層２０４が表出していない。
【００５３】
以下に、上記のように構成された偽造防止シート２０１の製造方法について説明する。
【００５４】
まず、潜像表示層２０４が埋設された裏面シート２０５に、潜像表示層２０４が表出した側を積層面として表面シート２０３を積層する。
【００５５】
次に、互いに積層された表面シート２０３及び裏面シート２０５に対して、潜像表示層２０４が埋設された領域を含むように、スポット的にレーザ光を順次照射していき、それにより、複数の貫通穴２０２を形成する。
【００５６】
その後、表面シート２０３の情報印刷領域２０６に情報が印刷されることになるが、その前に、表面シート２０３に対してプレ印刷として地紋を印刷したり所定の色に着色したりすることも考えられる。
【００５７】
このようにして、図７に示した偽造防止シート２０１が作製される。
【００５８】
以下に、上述した偽造防止シート２０１の作用について説明する。
【００５９】
まず、図７に示した偽造防止シート２０１を正面、すなわち、表面シート２０３と裏面シート２０５との積層方向から観察した場合の作用について説明する。
【００６０】
図８は、図７に示した偽造防止シート２０１を正面から観察した場合の作用を説明するための図であり、（ａ）は断面方向から見た図、（ｂ）は偽造防止シート２０１を正面から見た図である。
【００６１】
図７に示した偽造防止シート２０１を、図８（ａ）に示すように、正面、すなわち、表面シート２０３と裏面シート２０５との積層方向から観察した場合、表面シート２０３と貫通穴２０２とが見えることになるが、貫通穴２０２においては内側面が視認不可能であるため、一部の貫通穴２０２の内側面に表出した潜像表示層２０４の黒色は見えず、そのため、潜像表示層２０４によって形成される潜像「Ｔ」は、潜像表示層２０４の黒色として浮かび上がって見えてこない。ここで、貫通穴２０２の径が１ｍｍ以下となる微細なものである場合は、人間の錯覚によって貫通穴２０２が表面シート２０３の白色に見え、それにより、図８（ｂ）に示すように貫通穴２０２は視認困難な状態となる。また、本形態においては、貫通穴２０２は、潜像「Ｔ」の文字の形状ではなくマトリックス状に形成されているため、その径が大きくなって正面から観察した場合に明確に視認可能となっても、潜像「Ｔ」を認識することはできない。
【００６２】
次に、図７に示した偽造防止シート２０１に対する観察方向を正面、すなわち、表面シート２０３と裏面シート２０５との積層方向から変化させていった場合の作用について説明する。
【００６３】
図９は、図７に示した偽造防止シート２０１に対する観察方向を正面から変化させていった場合の作用を説明するための図であり、（ａ）は断面方向から見た図、（ｂ）〜（ｅ）は偽造防止シート２０１における潜像の見え方を示す図である。
【００６４】
図７に示した偽造防止シート２０１に対する観察方向を正面から変化させていくと、図９（ａ）に示すように、貫通穴２０２の内側面が視認できるようになる。貫通穴２０２のうち潜像表示層２０４が埋設された領域に形成されたものにおいては、その内側面に表面シート２０３とは色が異なる黒色の潜像表示層２０４が表出しているため、その黒色が貫通穴２０２の内側面にて視認可能となる。一方、貫通穴２０２のうち潜像表示層２０４が埋設されていない領域に形成されたものにおいては、その内側面に潜像表示層２０４が表出しておらず、裏面シート２０５の白色のみが貫通穴２０２の内側面にて視認可能となる。表面シート２０３は、裏面シート２０５と同一で、かつ潜像表示層２０４とは色が異なる白色であるため、この色の違いによって、図９（ｂ）に示すように、貫通穴２０２のうち潜像表示層２０４が埋設された領域に形成された貫通穴２０２の内側面に表出した潜像表示層２０４によって構成される潜像「Ｔ」が黒色として浮かび上がって見えるようになる。この際、潜像表示層２０４の埋設深さが深ければ、貫通穴２０２の内側面にて表出する潜像表示層２０４の面積が大きくなるため、潜像「Ｔ」を認識しやすくなる。
【００６５】
ここで、図７に示した偽造防止シート２０１においては、貫通穴２０２のうち、潜像表示層２０４が埋設された領域に形成されたものにおいては、表面シート２０３とは色が異なる黒色の潜像表示層２０４がその内側面の全周に渡って表出しているため、偽造防止シート２０１に対する観察方向を正面からどの方向に変化させていった場合であっても、潜像表示層２０４による潜像が潜像表示層２０４の黒色として浮かび上がって見えるようになる。例えば、偽造防止シート２０１に対する観察方向を図７中上側に変化させていくと、潜像表示層２０４によって形成される潜像「Ｔ」が図９（ｃ）に示すように黒色として浮かび上がって見えるようになり、また、偽造防止シート２０１に対する観察方向を図７中右側に変化させていくと、潜像表示層２０４によって形成される潜像「Ｔ」が図９（ｄ）に示すように黒色として浮かび上がって見えるようになり、また、偽造防止シート２０１に対する観察方向を図７中左側に変化させていくと、潜像表示層２０４によって構成される潜像「Ｔ」が図９（ｅ）に示すように黒色として浮かび上がって見えるようになる。
【００６６】
上述した偽造防止シート２０１は、複写した場合、表面シート２０３の情報印刷領域２０６に印刷された情報は複写されるものの、貫通穴２０２までは再現できない。また、貫通穴２０２うち一部の貫通穴２０２の内側面に表出した潜像表示層２０４の黒色も複写することができない。そのため、複写物の観察方向を変えていった場合であっても、潜像は浮かび上がらず、それにより、真偽判別を行うことが可能となる。このように真偽判別を行う際、本形態の偽造防止シート２０１においては、偽造防止シート２０１に対する観察方向を、表面シート２０３と裏面シート２０５との積層方向からどの方向に変化させていった場合であっても、潜像表示層２０４による潜像が潜像表示層２０４の黒色として浮かび上がって見えるため、観察方向に制限されることなく潜像による真偽判別を容易に行うことができる。
【００６７】
なお、本形態においては、表面シート２０３及び裏面シート２０５が白色からなり、潜像表示層２０４が黒色からなるものを例に挙げて説明したが、裏面シート２０５と潜像表示層２０４とが互いに異なる色であれば、表面シート２０３と裏面シート２０５とが異なる色であったり、表面シート２０３及び裏面シート２０５や潜像表示層２０４の色が白色や黒色とは異なる色であったりしても構わない。ただし、裏面シート２０５の色と潜像表示層２０４の色とのコントラストの差が大きいほど潜像を認識しやすくすることができる。
【００６８】
また、裏面シート２０５の潜像以外となる領域に潜像表示層２０４を埋設し、この潜像表示層２０４によって潜像以外の形状を表現することにより、潜像を認識可能とする構成とすることも考えられる。
【００６９】
また、潜像となる情報は、上述した「Ｔ」のように一文字からなるものに限らず、複数の文字からなるものや模様等であってもよい。その場合、潜像表示層２０４を裏面シート２０５に複数埋設し、複数の潜像表示層２０４が埋設された領域を全て含むように貫通穴２０２を形成することになる。
【００７０】
また、貫通穴２０２は、上述したマトリックス状に複数形成されるものに限らず、潜像表示層２０４が埋設された領域と、潜像表示層２０４が埋設されていない領域とを含むように形成されれば、同心円状等、任意の形状で形成されていてもよい。
【００７１】
また、本形態においては、裏面シート２０５の表面シート２０３との積層面に潜像表示層２０４が埋設されているが、外部から視認不可能な領域であれば、表面シート２０３の裏面シート２０５との積層面や、表面シート２０３や裏面シート２０５の内部に潜像表示層２０４が埋設された構成とすることも考えられる。
【００７２】
また、本形態においては、表面シート２０３と裏面シート２０５との２つの層が積層された積層構造からなるものを例に挙げて説明したが、積層される層の数は複数であれば２つに限らない。ただし、その場合においても、潜像表示層２０４とこの潜像表示層２０４が埋設される層との色は互いに異なる必要がある。
【００７３】
なお、上述した３つの実施の形態に示した貫通穴２，１０２，２０２の形状は、円状や矩形状等、様々な形状とすることが考えられる。
【００７４】
また、上述した３つの実施の形態においては、偽造防止媒体として、紙からなる表面シート３，２０３、中間シート４、裏面シート５，２０５、あるいはベースシート１０３が積層された偽造防止シート１，１０１，２０１を例に挙げて説明したが、本発明はこのような偽造防止シート１，１０１，２０１に限らず、フィルムからなるシート基材や複数の樹脂層が積層されてなるカード基材に上述したような構成を設けたものにも適用することが可能である。
【図面の簡単な説明】
【００７５】
【図１】本発明の偽造防止媒体の第１の実施の形態となる偽造防止シートを示す図であり、（ａ）は正面から見た図、（ｂ）は（ａ）に示したＡ−Ａ’断面図である。
【図２】図１に示した偽造防止シートを正面から観察した場合の作用を説明するための図であり、（ａ）は断面方向から見た図、（ｂ）は偽造防止シートを正面から見た図である。
【図３】図１に示した偽造防止シートに対する観察方向を正面から変化させていった場合の作用を説明するための図であり、（ａ）は断面方向から見た図、（ｂ）〜（ｅ）は偽造防止シートにおける潜像の見え方を示す図である。
【図４】本発明の偽造防止媒体の第２の実施の形態となる偽造防止シートを示す図であり、（ａ）は正面から見た図、（ｂ）は（ａ）に示したＡ−Ａ’断面図である。
【図５】図４に示した偽造防止シートを正面から観察した場合の作用を説明するための図であり、（ａ）は断面方向から見た図、（ｂ）は偽造防止シートを正面から見た図である。
【図６】図４に示した偽造防止シートに対する観察方向を正面から変化させていった場合の作用を説明するための図であり、（ａ）は断面方向から見た図、（ｂ）〜（ｅ）は偽造防止シートにおける潜像の見え方を示す図である。
【図７】本発明の偽造防止媒体の第３の実施の形態となる偽造防止シートを示す図であり、（ａ）は正面から見た図、（ｂ）は（ａ）に示したＡ−Ａ’断面図、（ｃ）は（ｂ）に示した裏面シートの構成を示す図である。
【図８】図７に示した偽造防止シートを正面から観察した場合の作用を説明するための図であり、（ａ）は断面方向から見た図、（ｂ）は偽造防止シートを正面から見た図である。
【図９】図７に示した偽造防止シートに対する観察方向を正面から変化させていった場合の作用を説明するための図であり、（ａ）は断面方向から見た図、（ｂ）〜（ｅ）は偽造防止シートにおける潜像の見え方を示す図である。
【符号の説明】
【００７６】
１，１０１，２０１    偽造防止シート
２，１０２，２０２    貫通穴
３，２０３    表面シート
４    中間シート
５，２０５    裏面シート
６，１０６，２０６    情報印刷領域
１０３    ベースシート
１０４    着色層
２０４    潜像表示層
【図１】
2008023761.tif 000003
【図２】
2008023761.tif 000004
【図３】
2008023761.tif 000005
【図４】
2008023761.tif 000006
【図５】
2008023761.tif 000007
【図６】
2008023761.tif 000008
【図７】
2008023761.tif 000009
【図８】
2008023761.tif 000010
【図９】
2008023761.tif 000011